(57)【要約】【課題】ユーザのニーズに適合した健康関連ソリューションを提示することが可能な健康関連ソリューション提示サーバを提供する。【解決手段】健康関連ソリューション提示サーバ１は、業者により入力された健康関連ソリューションの複数の特質とユーザにより入力された健康関連の複数の項目とを基にしたその健康関連ソリューションに対するユーザの関連度を演算する。サーバ１は、関連度を含む健康関連ソリューションについての情報をユーザ端末５に送信する。健康関連ソリューションがユーザに提供された後、サーバ１は、そのソリューションに対するユーザの評価情報を受信して、この情報を関連度に反映させる。【選択図】図１
2007249711.tif 000002
【特許請求の範囲】
【請求項１】
それぞれが複数の特質を有する健康関連ソリューションの情報を記憶しているデータベースと、
健康関連の複数の項目についてユーザに入力を促す入力要求情報をユーザ端末へ送信する入力要求情報送信部と、
前記入力要求情報に含まれる健康関連の複数の項目について前記ユーザ端末で前記ユーザにより入力された入力済情報を受信する入力済情報受信部と、
健康関連ソリューションの複数の特質と前記入力済情報に含まれる健康関連の複数の項目とを基にしたその健康関連ソリューションに対する前記ユーザの関連度を、前記データベースに記憶されたそれぞれの健康関連ソリューションについて演算する関連度演算部と、
前記関連度を含む健康関連ソリューションについての情報を前記ユーザ端末に送信するソリューション情報送信部と、
前記ユーザが提供を受けた健康関連ソリューションに対する前記ユーザの評価を含む情報であり、その健康関連ソリューションの前記関連度に反映させるために利用される評価情報を、その健康関連ソリューションが前記ユーザに提供された後に受信する評価情報受信部と、を備える
ことを特徴とする健康関連ソリューション提示サーバ。
【請求項２】
その健康関連ソリューションが前記ユーザに提供されてから一定期間経過後、前記評価を問い合わせるメールを前記ユーザ端末へ送信する問合せメール送信部を備える
ことを特徴とする請求項１に記載の健康関連ソリューション提示サーバ。
【請求項３】
ユーザ端末及び健康関連ソリューション提示サーバを含む健康関連ソリューション提示システムであって、
前記健康関連ソリューション提示サーバは、
それぞれが複数の特質を有する健康関連ソリューションの情報を記憶しているデータベースと、
健康関連の複数の項目についてユーザに入力を促す入力要求情報を前記ユーザ端末へ送信する入力要求情報送信部と、
前記入力要求情報に含まれる健康関連の複数の項目について前記ユーザ端末で前記ユーザにより入力された入力済情報を受信する入力済情報受信部と、
健康関連ソリューションの複数の特質と前記入力済情報に含まれる健康関連の複数の項目とを基にしたその健康関連ソリューションに対する前記ユーザの関連度を、前記データベースに記憶されたそれぞれの健康関連ソリューションについて演算する関連度演算部と、
前記関連度を含む健康関連ソリューションについての情報を前記ユーザ端末に送信するソリューション情報送信部と、
前記ユーザが提供を受けた健康関連ソリューションに対する前記ユーザの評価を含む情報であり、その健康関連ソリューションの前記関連度に反映させるために利用される評価情報を、その健康関連ソリューションが前記ユーザに提供された後に受信する評価情報受信部と、を備える
ことを特徴とする健康関連ソリューション提供システム。
【請求項４】
それぞれが複数の特質を有する健康関連ソリューションの情報を記憶する記憶ステップと、
健康関連の複数の項目についてユーザに入力を促す入力要求情報をユーザ端末へ送信する入力要求情報送信ステップと、
前記入力要求情報に含まれる健康関連の複数の項目について前記ユーザ端末で前記ユーザにより入力された入力済情報を受信する入力済情報受信ステップと、
健康関連ソリューションの複数の特質と前記入力済情報に含まれる健康関連の複数の項目とを基にしたその健康関連ソリューションに対する前記ユーザの関連度を、前記記憶ステップで記憶されたそれぞれの健康関連ソリューションについて演算する関連度演算ステップと、
前記関連度を含む健康関連ソリューションについての情報を前記ユーザ端末に送信するソリューション情報送信ステップと、
前記ユーザが提供を受けた健康関連ソリューションに対する前記ユーザの評価を含む情報であり、その健康関連ソリューションの前記関連度に反映させるために利用される評価情報を、その健康関連ソリューションが前記ユーザに提供された後に受信する評価情報受信ステップと、を備える
ことを特徴とする健康関連ソリューション提示方法。
【請求項５】
請求項４に記載のステップをコンピュータに実行させる健康関連ソリューション提示プログラム。
【請求項６】
請求項５に記載の健康関連ソリューション提示プログラムを記憶したコンピュータ読み取り可能な記憶媒体。
【発明の詳細な説明】
【技術分野】
【０００１】
本発明は、健康関連ソリューション提示サーバ、健康関連ソリューション提示システム、健康関連ソリューション提示方法、健康関連ソリューション提示プログラム及びそのプログラムを記憶したコンピュータ読み取り可能な記憶媒体に関し、例えば、健康関連商品をインターネットで販売用に提示するサーバに関する。
【背景技術】
【０００２】
近年、インターネットを利用して商品を販売する電子商店のユーザが増加している。ユーザには、購入する商品を特に決めないで電子商店のサーバにアクセスしてくる者もいる。このようなユーザに対しては、ユーザのニーズに適合する商品の情報をユーザのパソコンに表示できれば便利である。
【０００３】
そこで、電子商店には、来店者であるユーザの性別、年齢、趣味、職業等を、各商品の商品属性データ（「商品区分」「グレード」「対象人物」「季節」「地域」「関連する趣味」「関連する職業」）にマッチングさせて、ユーザに応じて商品陳列の画像を変えるものがある（例えば特許文献１参照）。
【特許文献１】特開２００２−１５２３１号公報
【発明の開示】
【発明が解決しようとする課題】
【０００４】
本発明の目的は、ユーザのニーズに適合した健康関連ソリューションを提示することが可能な健康関連ソリューション提示サーバ、健康関連ソリューション提示システム、健康関連ソリューション提示方法、健康関連ソリューション提示プログラム及びそのプログラムを記憶したコンピュータ読み取り可能な記憶媒体を提供することである。
【課題を解決するための手段】
【０００５】
本発明に係る健康関連ソリューション提示サーバは、それぞれが複数の特質を有する健康関連ソリューションの情報を記憶しているデータベースと、健康関連の複数の項目についてユーザに入力を促す入力要求情報をユーザ端末へ送信する入力要求情報送信部と、前記入力要求情報に含まれる健康関連の複数の項目について前記ユーザ端末で前記ユーザにより入力された入力済情報を受信する入力済情報受信部と、健康関連ソリューションの複数の特質と前記入力済情報に含まれる健康関連の複数の項目とを基にしたその健康関連ソリューションに対する前記ユーザの関連度を、前記データベースに記憶されたそれぞれの健康関連ソリューションについて演算する関連度演算部と、前記関連度を含む健康関連ソリューションについての情報を前記ユーザ端末に送信するソリューション情報送信部と、前記ユーザが提供を受けた健康関連ソリューションに対する前記ユーザの評価を含む情報であり、その健康関連ソリューションの前記関連度に反映させるために利用される評価情報を、その健康関連ソリューションが前記ユーザに提供された後に受信する評価情報受信部と、を備えることを特徴とする。
【０００６】
本発明に係る健康関連ソリューション提示サーバにおいて、その健康関連ソリューションが前記ユーザに提供されてから一定期間経過後、前記評価を問い合わせるメールを前記ユーザ端末へ送信する問合せメール送信部を備えるようにすることができる。
【０００７】
本発明は、ユーザ端末及び健康関連ソリューション提示サーバを含む健康関連ソリューション提示システムであって、前記健康関連ソリューション提示サーバは、それぞれが複数の特質を有する健康関連ソリューションの情報を記憶しているデータベースと、健康関連の複数の項目についてユーザに入力を促す入力要求情報を前記ユーザ端末へ送信する入力要求情報送信部と、前記入力要求情報に含まれる健康関連の複数の項目について前記ユーザ端末で前記ユーザにより入力された入力済情報を受信する入力済情報受信部と、健康関連ソリューションの複数の特質と前記入力済情報に含まれる健康関連の複数の項目とを基にしたその健康関連ソリューションに対する前記ユーザの関連度を、前記データベースに記憶されたそれぞれの健康関連ソリューションについて演算する関連度演算部と、前記関連度を含む健康関連ソリューションについての情報を前記ユーザ端末に送信するソリューション情報送信部と、前記ユーザが提供を受けた健康関連ソリューションに対する前記ユーザの評価を含む情報であり、その健康関連ソリューションの前記関連度に反映させるために利用される評価情報を、その健康関連ソリューションが前記ユーザに提供された後に受信する評価情報受信部と、を備えることを特徴とする。
【０００８】
本発明に係る健康関連ソリューション提示方法は、それぞれが複数の特質を有する健康関連ソリューションの情報を記憶する記憶ステップと、健康関連の複数の項目についてユーザに入力を促す入力要求情報をユーザ端末へ送信する入力要求情報送信ステップと、前記入力要求情報に含まれる健康関連の複数の項目について前記ユーザ端末で前記ユーザにより入力された入力済情報を受信する入力済情報受信ステップと、健康関連ソリューションの複数の特質と前記入力済情報に含まれる健康関連の複数の項目とを基にしたその健康関連ソリューションに対する前記ユーザの関連度を、前記記憶ステップで記憶されたそれぞれの健康関連ソリューションについて演算する関連度演算ステップと、前記関連度を含む健康関連ソリューションについての情報を前記ユーザ端末に送信するソリューション情報送信ステップと、前記ユーザが提供を受けた健康関連ソリューションに対する前記ユーザの評価を含む情報であり、その健康関連ソリューションの前記関連度に反映させるために利用される評価情報を、その健康関連ソリューションが前記ユーザに提供された後に受信する評価情報受信ステップと、を備えることを特徴とする。
【０００９】
本発明に係る健康関連ソリューション提示プログラムは、上記ステップをコンピュータに実行させるものである。
【００１０】
本発明に係るコンピュータ読み取り可能な記憶媒体は、上記健康関連ソリューション提示プログラムを記憶したものである。
【発明の効果】
【００１１】
本発明によれば、健康関連ソリューションを提供されたユーザから、その健康関連ソリューションについての評価情報を受信し、この情報をその健康関連ソリューションに対するユーザの関連度に反映させている。よって、ユーザの評価に応じて関連度が補正されるので、ユーザのニーズに適合した健康関連ソリューションを提示することができる。
【発明を実施するための最良の形態】
【００１２】
本発明の実施形態について図面を用いて説明する。図１は、本実施形態に係る健康関連ソリューション提示サーバ１（以下「サーバ１」と称する場合もある）の構成の一例を示すブロック図である。健康関連ソリューションとは、健康に関連する商品、サービス及び情報を意味する。健康関連商品とは、例えば、健康食品や血糖値等の測定器具である。健康関連サービスとは、例えば、ヨガ教室やスイミング教室である。健康関連情報とは、例えば、健康に関連するイベントやコミュニティの開催情報である。
【００１３】
サーバ１によって、健康関連ソリューションを提示するｗｅｂサイトがインターネット上で公開される。サーバ１の各機能ブロックについては、後で説明する健康関連ソリューション提示サーバ１の動作と共に説明する。
【００１４】
業者端末３及びユーザ端末５は、インターネットを利用してサーバ１にアクセス可能にされている。業者端末３やユーザ端末５は、パソコンが代表例であるが、ＰＤＡ（Personal Digital Assistants）や携帯電話でもよい。業者端末３及びユーザ端末５はそれぞれ複数あるが、図面では簡単のためにそれぞれ一つずつ表している。サーバ１、業者端末３及びユーザ端末５によって、本実施形態に係る健康関連ソリューション提示システムが構成される。
【００１５】
健康関連ソリューション提示サーバ１の動作について、図１〜図４を用いて説明する。図２〜４は、サーバ１の動作を説明するフローチャートである。この説明は、本実施形態に係る健康関連ソリューション提示システム及び方法の説明を兼ねている。まず、サーバ１のデータベースＤＢに、健康関連ソリューションの情報を予め登録する。具体的には、以下のようにして登録が実行される。  
【００１６】
サーバ１の情報記憶部１１には、例えば図５に示す登録情報（入力前）が予め記憶されている（図２のステップＳ１）。これは、健康関連ソリューションが健康関連商品の場合である。登録情報には、健康関連商品の商品名、商品の説明、税込価格等の入力欄と共にその健康関連商品の特質の入力欄が含まれる。
【００１７】
健康関連商品の特質の入力欄には、目的分類、部位分類、対応分類、体脂肪値、血糖値及び血圧のそれぞれについてのチェック項目４１がある。一つのチェック項目４１が健康関連ソリューションの一つの特質と対応している。チェック項目４１が複数あるので、健康関連ソリューションは複数の特質を有する。
【００１８】
目的分類、部位分類及び対応分類は、それぞれ複数のチェック項目４１を有する。例えば、目的分類は９個のチェック項目４１を有する。目的分類、部位分類及び対応分類のチェック項目４１は、一つ又は複数のチェック入力が可能である。これに対して、体脂肪値、血糖値及び血圧のチェック項目４１は、それぞれ一つである。つまり、「高め」、「普通」、「低め」のいずれか一つしかチェック入力できない。
【００１９】
健康関連ソリューションの登録を希望する業者が業者端末３を利用してサーバ１へ登録情報を要求すると、サーバ１の登録情報送信部１３は情報記憶部１１に記憶されている登録情報を業者端末３へ送信する（ステップＳ３）。これにより、図５に示す登録情報の画面が業者端末３に表示される。
【００２０】
業者は、例えば図６に示すように、健康関連商品の商品名等を入力すると共にその健康関連商品について該当する特質にチェックを入力する。特質は、例えば３２ビットで記憶される。図７は、特質のビットデータの一例を示す図である。
【００２１】
目的分類は、「こり」、「冷え」等の９項目があり、０〜８番目のビットが割り当てられる。部位分類は、「頭」、「肩」等の９項目があり、１３〜２１番目のビットが割り当てられる。対応分類は、「予防」、「緩和」の２項目があり、２２及び２３番目のビットが割り当てられる。体脂肪値、血糖値及び血圧は、「高め」、「普通」、「低め」のいずれかから選択する。体脂肪値、血糖値及び血圧は、それぞれ、２４及び２５番目のビット、２６及び２７番目のビット、２８及び２９番目のビットが割り当てられる。９〜１２、３０、３１番目のビットは、予備のビットである。
【００２２】
目的分類の「０００００１０００」は、目的分類の「肥満」のみをチェックしたことを示している。部位分類の「１１１１１１１１０」は、「その他」以外のすべてをチェックしたことを示している。対応分類「１１」は、「予防」及び「緩和」をチェックしたことを示している。体脂肪値、血糖値及び血圧は、「高め」を「０１」、「普通」を「１０」、「低め」を「１１」で示している。
【００２３】
業者により図６に示すような入力がされた登録情報（入力後）は、業者端末３から健康関連ソリューション提示サーバ１へ送信されて、サーバ１の登録情報受信部１５で受信される（ステップＳ５）。そして、サーバ１のデータベースＤＢに登録される。図８は、データベースＤＢに格納されたデータの一例を示す図である。イメージとは、商品に関する画像、パノラマ、動画等のファイル名である。例えば、「i72.jpg」は、ＩＤ７２の商品のＪＰＥＧ画像を示している。パノラマを使う場合は例えば「p72.htm」となり、動画を使う場合は例えば「m72.wmv」となる。特質の数字は、上記の特質のビットデータと対応している。例えば商品ＩＤ７２を有する健康関連ソリューションの特質「４３４１０２３０４」は、図７に示すビットデータと対応する。すなわち、「４３４１０２３０４」は、図７のビットデータの各ビットを合わせ一つの整数にすることによって、図７のビットデータを変換したものである。適正率は、後で説明する関連度の演算に利用される。適正率は、ユーザが提供を受けた健康関連ソリューションに対するそのユーザの評価に基づいて変動し、最初は例えば５０％に設定される。以上のようにして健康関連ソリューションのそれぞれがサーバ１のデータベースＤＢに登録される。
【００２４】
次に、サーバ１が健康関連ソリューションをユーザへ提示する動作について説明する。ユーザ端末５からサーバ１へユーザがアクセスすると、サーバ１の入力要求情報送信部１７から入力要求情報がユーザ端末５へ送信される（図３のステップＴ１）。これにより、例えば図９に示す入力要求情報の画面がユーザ端末５に表示される。なお、入力要求情報送信部１７からユーザ端末５へ送信される入力要求情報は、情報記憶部１１に予め記憶されている。
【００２５】
画面には、健康関連項目の入力欄やソリューション表示欄等が含まれる。健康関連項目の入力欄に設けられたチェック項目５１は、図５に示す健康関連ソリューションの特質の入力欄に設けられたチェック項目４１と同じにされている。これは後で説明する健康関連ソリューションに対するユーザの関連度の演算を簡単にするためである。健康関連項目の入力欄のチェック項目５１が、健康関連ソリューションの特質の入力欄のチェック項目４１と対応付けられていれば、これらは異なっていてもよい。一つのチェック項目５１が一つの健康関連項目である。チェック項目５１は複数あるので、入力要求情報は健康関連の複数の項目を有することになる。
【００２６】
ソリューション表示欄には、「オススメ」欄、「サービス」欄、「商品」欄、「イベント」欄、「快血ＦＡＱ」欄が含まれる。「サービス」欄は、健康関連ソリューションのうち健康関連サービスの検索に利用される。「商品」欄は、健康関連ソリューションのうち健康関連商品の検索に利用される。「イベント」欄及び「快血ＦＡＱ」欄は、健康関連ソリューションのうち健康関連情報の検索に利用される。「オススメ」欄は、健康関連ソリューションをユーザに対する関連度の高いものから順に表示させる場合に利用される。
【００２７】
ユーザは、図９に示す画面の健康関連項目の入力欄のチェック項目５１にチェックを入力する。入力後の画面の一例を図１０に示す。健康関連項目の入力欄に入力された情報は、入力済情報として、例えば図１１に示すビットデータの形式でユーザ端末５の入力済情報記憶部１９（例えばCookie）に保存される。入力済情報の保存は、ユーザ端末５、サーバ１のいずれでも可能であるが、本実施形態では、ユーザ端末５に保存する。
【００２８】
引き続き、ユーザは、図１０に示す画面のソリューション表示欄の中から希望する健康関連ソリューション欄に入力をする。図１０は「オススメ」の表示を希望する入力を示している。ソリューション表示ボタン５３をクリックすると、ユーザ端末５からサーバ１へ「オススメ」表示の命令が送信される。これをサーバ１が受信すると、サーバ１はユーザ端末５へアクセスして、ユーザ端末５の入力済情報記憶部１９に保存されている入力済情報を受信する（ステップＴ３でＹｅｓ）。具体的には、サーバ１の入力済情報受信部２１で入力済情報を受信する。
【００２９】
入力済情報受信部２１で受信された入力済情報は、サーバ１の関連度演算部２３へ送られて、ここで関連度の演算が実行される（ステップＴ５）。関連度とは、図７に示す健康関連ソリューションの複数の特質と図１１に示す入力済情報に含まれる健康関連の複数の項目とを基にしたその健康関連ソリューションに対するユーザの関連度である。
【００３０】
関連度の演算を具体的に説明する。図７の商品ＩＤ７２で示される健康関連ソリューションに対して、図１１の入力済情報を有するユーザの関連度は、以下のようにして演算される。図７及び図１１に示すビットデータにおいて、目的分類どうし、部位分類どうし、対応分類どうし、体脂肪値どうし、血糖値どうし、血圧どうしを比較する。比較したどうしでビットデータが完全に一致（完全一致）すれば、１点が付与される。目的分類どうし、部位分類どうし及び対応分類どうしでは、一つでも一致（部分一致）すれば、さらに１点が付与される。
【００３１】
但し、目的分類どうし、部位分類どうし及び対応分類どうしについては、比較したどうしの少なくとも一方のビットデータが全て０の場合、ユーザや業者がチェックを入力していないことになり、完全一致及び部分一致の演算をしない。例えば、図１１の目的分類のビットデータが全て０の場合、ユーザが目的分類のチェック項目５１にチェックを入力してないので、目的分類どうしでは、完全一致及び部分一致の演算がされず、０点となる。
【００３２】
また、体脂肪値どうし、血糖値どうし及び血圧どうしについては、比較したどうしの少なくとも一方のビットデータが１０（普通）の場合、考慮する必要がないので、完全一致の演算をしない。例えば、図１１の血圧のビットデータが１０の場合、ユーザの血圧は普通なので、血圧どうしでは、完全一致の演算がされず、０点となる。
【００３３】
以上のルールに従って、商品ＩＤ７２で示される健康関連ソリューションに対する図１１の入力済情報を有するユーザの関連度を演算すると、次のようになる。目的分類は２点（完全一致で１点、部分一致で１点）、部位分類は１点（部分一致で１点）、対応分類は１点（部分一致で１点）、体脂肪値は１点、血糖値及び血圧は０点となる。合計５点となり、これに適正率６０％をかけると、関連度が「３」となる。
【００３４】
健康関連ソリューション提示サーバ１のデータベースＤＢに登録されている他の健康関連ソリューションについても、同様のルールに従って関連度を演算する。そして、サーバ１のソリューション情報送信部２５からユーザ端末５へ関連度を含む健康関連ソリューションについての情報が送信される（ステップＴ７）。これにより、ユーザ端末５には、例えば図１２に示す画面が表示される。
【００３５】
この画面では、健康関連ソリューションがオススメ順に提示されている。「オススメ度」の星の数は関連度の値に対応しており、例えば関連度が「３」の場合、「オススメ度」の星は三つである。ユーザは「オススメ度」を参考にしながら、購入する健康関連商品や利用する健康関連サービス、健康関連情報を決定することができる。なお、サーバ１が入力済情報をユーザ端末５から受信しないと（ステップＴ３でＮｏ）、エンドとなる。
【００３６】
次に、サーバ１による適正率の再計算について説明する。上記のとおり、関連度の演算には、適正率が用いられる。適正率は、健康関連ソリューションに対するユーザの評価により変動させるようにしている。これにより、ユーザの評価は関連度に反映されることになる。サーバ１は、評価の情報をユーザ端末５から次のようにして受信する。
【００３７】
まず、健康関連ソリューションがユーザに提供されてから一定期間経過後、その健康関連ソリューションの評価を例えばアンケート形式で問い合わせるメールを、その健康関連ソリューションが提供されたユーザのユーザ端末５へ送信する（図４のステップＵ１）。この送信は、サーバ１の問合せメール送信部２７で実行される。ここで、健康関連ソリューションの提供とは、ユーザによる健康関連商品の購入や健康関連サービス、健康関連情報の利用を意味する。
【００３８】
ユーザ端末５に表示された問合せメールのアンケートは、例えば、健康関連ソリューションがユーザにとって、「効果があった」及び「効果がなかった」のいずれかの項目にチェックを入力する形式である。ユーザは、いずれかの項目にチェックを入力して、ユーザ端末５からサーバ１へ送信する。これによりユーザからの評価の情報がサーバ１の評価情報受信部２９で受信される（ステップＵ３）。
【００３９】
受信された評価情報を基にして、その健康関連ソリューションの適正率が図示しない演算部で再計算される（ステップＵ５）。例えば、「効果があった」の項目にチェックが入力されていた場合、適正率を１％上げる。これに対して、「効果がなかった」の項目にチェックが入力されていた場合、適正率を１％下げる。データベースＤＢに格納されている適性率を再計算された適正率に更新する。このように、ユーザの評価に応じて適正率が増減され、関連度を演算するので、ユーザのニーズに適合した健康関連ソリューションを提示することができる。
【００４０】
なお、適正率の再計算には、ユーザの評価の他に、例えば、その健康関連ソリューションの詳細ページが閲覧された回数やその健康関連ソリューションの一定期間での注文金額を考慮することもできる。
【００４１】
図１に示す健康関連ソリューション提示サーバ１の各機能ブロックを実現するハードウェアについて説明する。データベースＤＢ及び情報記憶部１１は、メモリやハードディスクにより実現される。登録情報送信部１３、登録情報受信部１５、入力要求情報送信部１７、入力済情報受信部２１、ソリューション情報送信部２５、問合せメール送信部２７及び評価情報受信部２９は、ＣＰＵ及びインターネット接続用のインターフェースにより実現される。関連度演算部２３はＣＰＵにより実現される。
【００４２】
なお、本実施形態に係る健康関連ソリューション提示プログラムは、コンピュータに、図２〜図４に示す各ステップを実行させ、コンピュータを図１に示す各ブロックとして機能させることにより、上述した本実施形態に係る健康関連ソリューション提示サーバ、健康関連ソリューション提示システムや健康関連ソリューション提示方法と同様の効果を得ることができる。上記プログラムは、光ディスク等のコンピュータ読み取り可能な記憶媒体に記憶して配布してもよいし、インターネット等で配信してもよい。
【図面の簡単な説明】
【００４３】
【図１】本実施形態に係る健康関連ソリューション提示サーバの構成の一例を示すブロック図である。
【図２】同サーバの動作の一例を説明するフローチャート（その１）である。
【図３】同サーバの動作の一例を説明するフローチャート（その２）である。
【図４】同サーバの動作の一例を説明するフローチャート（その３）である。
【図５】健康関連ソリューションの登録情報（入力前）の画面の一例を示す図である。
【図６】健康関連ソリューションの登録情報（入力後）の画面の一例を示す図である。
【図７】健康関連ソリューションの特質を示すビットデータの一例を示す図である。
【図８】健康関連ソリューション提示サーバに備えられるデータベースに格納されたデータの一例を示す図である。
【図９】入力要求情報（入力前）の画面の一例を示す図である。
【図１０】入力要求情報（入力後）の画面の一例を示す図である。
【図１１】入力済情報の一例を示す図である。
【図１２】関連度を含む健康関連ソリューション情報の画面の一例を示す図である。
【符号の説明】
【００４４】
１・・・健康関連ソリューション提示サーバ、３・・・業者端末、５・・・ユーザ端末、１１・・・情報記憶部、１３・・・登録情報送信部、１５・・・登録情報受信部、１７・・・入力要求情報送信部、１９・・・入力済情報記憶部、２１・・・入力済情報受信部、２３・・・関連度演算部、２５・・・ソリューション情報送信部、２７・・・問合せメール送信部、２９・・・評価情報受信部、４１・・・チェック項目、５１・・・チェック項目、５３・・・ソリューション表示ボタン、ＤＢ・・・データベース
【図１】
2007249711.tif 000003
【図２】
2007249711.tif 000004
【図３】
2007249711.tif 000005
【図４】
2007249711.tif 000006
【図５】
2007249711.tif 000007
【図６】
2007249711.tif 000008
【図７】
2007249711.tif 000009
【図８】
2007249711.tif 000010
【図９】
2007249711.tif 000011
【図１０】
2007249711.tif 000012
【図１１】
2007249711.tif 000013
【図１２】
2007249711.tif 000014